【手続補正書】
【提出日】令和2年7月1日(2020.7.1)
【手続補正１】
【補正対象書類名】特許請求の範囲
【補正対象項目名】全文
【補正方法】変更
【補正の内容】
【特許請求の範囲】
【請求項１】
建造物を内側から補強する補強構造体であって、
鉛直に延びる鉛直辺と、その鉛直辺の上端から斜め下方に延びる第１の傾斜辺と、前記鉛直辺の下端と前記第１の傾斜辺の下端との間を連絡する第２の傾斜辺とを有する第１トラスと、
前記第１トラスとの間で前記第１の傾斜辺を共有すると共に、前記第１トラスの前記鉛直辺の上端から水平に延びる水平辺と、前記水平辺の先端と前記第１の傾斜辺の下端との間を連絡する第２の傾斜辺とを有する第２トラスと、
前記第１トラスと前記第２トラスとからなりかつ左右対称に配置され、前記鉛直辺が前記建造物の内側面に沿いかつ前記水平辺が前記建造物の天井面に沿った状態にされて前記建造物に連結される１対の複合トラスと、
前記１対の複合トラスに設けられ、前記第１トラスの前記第２の傾斜辺と前記第２トラスの前記第２の傾斜辺とからなり、前記１対の複合トラスの対称中心から離れる側に屈曲する１対の屈曲辺と、を有する補強構造体において、
前記１対の複合トラスの両前記水平辺は、別々の長尺部材を連結してなり、
前記第１の傾斜辺は、上下に重なる２つの長尺部材で構成され、
前記第１の傾斜辺の下側の前記長尺部材は、前記第１トラスの前記鉛直辺と前記第２の傾斜辺とを構成する両長尺部材に接続され、
前記第１の傾斜辺の上側の前記長尺部材は、前記第２トラスの前記水平辺と前記第２の傾斜辺とを構成する両長尺部材に接続されている補強構造体。
【請求項２】
前記１対の複合トラスの両前記水平辺は、前記長尺部材同士を回動可能に連結する中央ヒンジ部を有する請求項１に記載の補強構造体。
【請求項３】
前記第１の傾斜辺を構成する前記２つの長尺部材は、背中合わせに重ねて固定されるチャンネル材又はアングル材である請求項１又は２に記載の補強構造体。
【請求項４】
各前記複合トラスの下端面に固定される下駄部材を有する請求項１から３の何れか１の請求項に記載の補強構造体。
【請求項５】
各前記複合トラスの下端面と床面との間に挟まれ、高さを調整可能なシムを備える請求項１から４の何れか１の請求項に記載の補強構造体。
【請求項６】
前記鉛直辺を構成する長尺部材と前記建造物の内側面又は床面との間に圧入されて、摩擦係合によって前記鉛直辺を構成する長尺部材を前記建造物の内側面又は床面に固定する楔部材を有する請求項１から５の何れか１の請求項に記載の補強構造体。
【請求項７】
前記水平辺を構成する長尺部材の上面に重ねて固定される下板部と、前記建造物の天井面に固定される上板部とを縦板部で接続してなる上部連結部材を備える請求項１から６の何れか１の請求項に記載の補強構造体。
【請求項８】
門形構造をなして工場の設備を支持し、内側に請求項１から７の何れか１の請求項に記載の補強構造体を備える前記建造物である設備架台。
【請求項９】
ライン設備を覆いかつ、そのライン設備を跨いだ状態に請求項１から８の何れか１の請求項に記載の補強構造体を複数、備える前記建造物であるブース。
【手続補正２】
【補正対象書類名】明細書
【補正対象項目名】０００６
【補正方法】変更
【補正の内容】
【０００６】
上記目的を達成するためになされた請求項１の発明は、建造物を内側から補強する補強構造体であって、鉛直に延びる鉛直辺と、その鉛直辺の上端から斜め下方に延びる第１の傾斜辺と、前記鉛直辺の下端と前記第１の傾斜辺の下端との間を連絡する第２の傾斜辺とを有する第１トラスと、前記第１トラスとの間で前記第１の傾斜辺を共有すると共に、前記第１トラスの前記鉛直辺の上端から水平に延びる水平辺と、前記水平辺の先端と前記第１の傾斜辺の下端との間を連絡する第２の傾斜辺とを有する第２トラスと、前記第１トラスと前記第２トラスとからなりかつ左右対称に配置され、前記鉛直辺が前記建造物の内側面に沿いかつ前記水平辺が前記建造物の天井面に沿った状態にされて前記建造物に連結される１対の複合トラスと、前記１対の複合トラスに設けられ、前記第１トラスの前記第２の傾斜辺と前記第２トラスの前記第２の傾斜辺とからなり、前記１対の複合トラスの対称中心から離れる側に屈曲する１対の屈曲辺と、を有する補強構造体において、前記１対の複合トラスの両前記水平辺は、別々の長尺部材を連結してなり、前記第１の傾斜辺は、上下に重なる２つの長尺部材で構成され、前記第１の傾斜辺の下側の前記長尺部材は、前記第１トラスの前記鉛直辺と前記第２の傾斜辺とを構成する両長尺部材に接続され、前記第１の傾斜辺の上側の前記長尺部材は、前記第２トラスの前記水平辺と前記第２の傾斜辺とを構成する両長尺部材に接続されている補強構造体である。
【手続補正３】
【補正対象書類名】明細書
【補正対象項目名】０００７
【補正方法】削除
【補正の内容】
【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】変更
【補正の内容】
【００１０】
請求項２の発明は、前記１対の複合トラスの前記水平部材が別々に設けられ、それら水平部材同士を回動可能に連結する中央ヒンジ部を有する請求項１に記載の補強構造体である。
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】変更
【補正の内容】
【００１２】
請求項３の発明は、前記第１トラス及び前記第２トラスの前記第１の傾斜部材が共にチャンネル材又はアングル材で構成されて、背中合わせに重ねて固定される請求項１又は２に記載の補強構造体である。
【手続補正９】
【補正対象書類名】明細書
【補正対象項目名】００１３
【補正方法】変更
【補正の内容】
【００１３】
請求項４の発明は、各前記複合トラスの下端面に固定される下駄部材を有する請求項１から３の何れか１の請求項に記載の補強構造体である。
【手続補正１０】
【補正対象書類名】明細書
【補正対象項目名】００１４
【補正方法】変更
【補正の内容】
【００１４】
請求項５の発明は、各前記複合トラスの下端面と床面との間に挟まれ、高さを調整可能なシムを備える請求項１から４の何れか１の請求項に記載の補強構造体である。
【手続補正１１】
【補正対象書類名】明細書
【補正対象項目名】００１５
【補正方法】変更
【補正の内容】
【００１５】
請求項６の発明は、前記鉛直部材と前記建造物の内側面又は床面との間に圧入されて、摩擦係合によって前記鉛直部材を前記建造物の内側面又は床面に固定する楔部材を有する請求項１から５の何れか１の請求項に記載の補強構造体である。
【手続補正１２】
【補正対象書類名】明細書
【補正対象項目名】００１６
【補正方法】変更
【補正の内容】
【００１６】
請求項７の発明は、前記水平部材の上面に重ねて固定される下板部と、前記建造物の天井面に固定される上板部とを縦板部で接続してなる上部連結部材を備える請求項１から６の何れか１の請求項に記載の補強構造体である。
【手続補正１３】
【補正対象書類名】明細書
【補正対象項目名】００１７
【補正方法】変更
【補正の内容】
【００１７】
請求項８の発明は、門形構造をなして工場の設備を支持し、内側に請求項１から７の何れか１の請求項に記載の補強構造体を備える前記建造物としての設備架台である。
【手続補正１４】
【補正対象書類名】明細書
【補正対象項目名】００１８
【補正方法】変更
【補正の内容】
【００１８】
請求項９の発明は、ライン設備を覆いかつ、そのライン設備を跨いだ状態に請求項１から８の何れか１の請求項に記載の補強構造体を複数備える前記建造物としてのブースである。
【手続補正１５】
【補正対象書類名】明細書
【補正対象項目名】００２０
【補正方法】変更
【補正の内容】
【００２０】
請求項１のように、建造物とは別個の部材によって補強構造体の全てが構成されているものでは、既設の建造物への補強構造体の設置作業を容易に行うことができる。
【手続補正１６】
【補正対象書類名】明細書
【補正対象項目名】００２１
【補正方法】変更
【補正の内容】
【００２１】
請求項１の発明では、１対の複合トラスの水平部材が、直線部材の中央より一端側と他端側とで構成されているので、横揺れの地震による水平荷重が直線部材を通して１対の複合トラスの間で効率良く伝達され、建造物への負荷が軽減される。また、請求項１の発明では、１対の複合トラスの水平部材が別々に設けられて、それら水平部材同士を固定する構造になっているので、補強構造体を１対の複合トラスに分解して設置現場に搬送することができ、搬送作業が容易になる。
【手続補正１７】
【補正対象書類名】明細書
【補正対象項目名】００２２
【補正方法】変更
【補正の内容】
【００２２】
請求項２の補強構造体のように、１対の複合トラスの水平部材が中央ヒンジ部にて回動可能に連結された構造としてもよく、そのような構造にしても、横揺れの地震による水平荷重が中央ヒンジ部を通して１対の複合トラスの間で伝達され、建造物への負荷が軽減される。
【手続補正１８】
【補正対象書類名】明細書
【補正対象項目名】００２３
【補正方法】変更
【補正の内容】
【００２３】
請求項１の構成によれば、複合トラスを第１トラスと第２トラスとに分解した状態で設置場所に搬送することができ、搬送作業が容易になる。また、請求項３の構成のように、第１トラスと第２トラスとの間で重ねて固定される１対の第１の傾斜部材をチャンネル材又はアングル材で構成すれば、それらチャンネル材又はアングル材の対向壁がリブの役割を果たし、第１トラスと第２トラスとの共有部分の強度を高くすることができる。
【手続補正１９】
【補正対象書類名】明細書
【補正対象項目名】００２４
【補正方法】変更
【補正の内容】
【００２４】
請求項４及び５の構成によれば、下駄部材の高さを変更したり、シムの厚さや枚数を変更したりして、複合トラスが建造物の天井面と床面との間に丁度収まるように調整することができる。
【手続補正２０】
【補正対象書類名】明細書
【補正対象項目名】００２５
【補正方法】変更
【補正の内容】
【００２５】
請求項６の構成によれば、鉛直部材と建造物の内側面又は床面との間に楔部材を圧入して、その摩擦係合により複合トラスを建造物の内側面又は床面に固定することができる。
【手続補正２１】
【補正対象書類名】明細書
【補正対象項目名】００２６
【補正方法】変更
【補正の内容】
【００２６】
請求項７の構成によれば、建造物に対する水平部材の固定作業を容易に行うことができる。
【手続補正２２】
【補正対象書類名】明細書
【補正対象項目名】００２７
【補正方法】変更
【補正の内容】
【００２７】
請求項８，９の設備架台及びブースは、上記した補強構造体を内側に備えるので、広い内部空間を確保した状態で従来より耐震強度が高くなる。
【手続補正２３】
【補正対象書類名】明細書
【補正対象項目名】００３５
【補正方法】変更
【補正の内容】
【００３５】
図１には、補強構造体１０の全体が示されている。補強構造体１０は、左右対称に配置された１対の複合トラス１３，１３を備え、それら各複合トラス１３は、第１トラス１１と第２トラス１２とから構成されている。その第１トラス１１は、鉛直に延びる鉛直辺１４と、鉛直辺１４の上端から斜め下方（具体的には、斜め下４５度）に延びる第１の傾斜辺１６と、鉛直辺１４の下端と第１の傾斜辺１６の下端との間を連絡する第２の傾斜辺１７とを有する。一方、第２トラス１２は、鉛直辺１４の上端から水平に延びる水平辺１５と、水平辺１５の先端と第１の傾斜辺１６の下端との間を連絡する第２の傾斜辺１８とを有し、第１の傾斜辺１６が第１トラス１１と第２トラス１２との間で共有されている。これにより、各複合トラス１３には、第１トラス１１の第２の傾斜辺１７と第２トラス１２の第２の傾斜辺１８とが交差してなる屈曲辺５０が形成され、その屈曲辺５０が１対の複合トラス１３，１３の対称中心から離れる側に屈曲した形状になっている。
【手続補正２４】
【補正対象書類名】明細書
【補正対象項目名】００４０
【補正方法】変更
【補正の内容】
【００４０】
図３に示すように、第２トラス１２は、水平辺１５に沿って延びる角鋼で構成された水平部材１５Ａと、第２の傾斜辺１８に沿って延びる角鋼で構成された第２の傾斜部材１８Ａと、第１の傾斜辺１６に沿って延びるチャンネル材で構成された第１の傾斜部材３１とを備えている。そして、前述の鉛直部材１４Ａ及び第２の傾斜部材１７Ａと同様に、水平部材１５Ａと第２の傾斜部材１８Ａとが溶接されかつ、それぞれの端部に蓋板１５Ｂ，１８Ｂが溶接されている。第２トラス１２の第１の傾斜部材３１も、第１トラス１１の第１の傾斜部材３０と同様に、チャンネル材の溝底壁３１Ｂの外面が、水平部材１５Ａ及び第２の傾斜部材１８Ａの蓋板１５Ｂ，１８Ｂの外面と面一となる位置に配置されて、水平部材１５Ａと第２の傾斜部材１８Ａとの間に溶接されている。また、その溝底壁３１Ｂにも、長手方向の複数位置に貫通孔３１Ｃ（図４参照）が形成されている。
【手続補正２５】
【補正対象書類名】明細書
【補正対象項目名】００４２
【補正方法】変更
【補正の内容】
【００４２】
図３に示すように、各複合トラス１３の水平部材１５Ａの先端の蓋板１５Ｂの外面からは、連結部材１９が水平部材１５Ａの延長上に延びている。連結部材１９は、角溝構造をなし、溝底壁１９Ｂの上下に溝側壁１９Ａ，１９Ａが配置された状態となっている。そして、図５（Ａ）に示すように、蓋板１５Ｂを左右に２分割する架空の分割面内に、溝底壁１９Ｂの外面が配置された状態に連結部材１９が溶接されている。また、図３に示すように、溝底壁１９Ｂには、その長手方向に沿って複数の貫通孔１９Ｃが形成されている。そして、図１に示すように、１対の複合トラス１３，１３が左右対称に配置されて互いに水平部材１５Ａ，１５Ａの先端が突き合わされると、図５（Ｂ）に示すように、両複合トラス１３，１３の連結部材１９，１９が重なり合う。その状態で両連結部材１９，１９の貫通孔１９Ｃに通した図示しないボルトにナットを締め付けて複合トラス１３，１３同士が連結された状態に固定されている。このとき、連結部材１９，１９の３つの貫通孔１９Ｃ，１９Ｃが重ねられているが、連結部材１９，１９の２つの貫通孔１９Ｃ，１９Ｃのみを重ねるか、１つの貫通孔１９Ｃ，１９Ｃのみを重ねて使用して、複合トラス１３，１３同士の間隔を変更してもよい。
【手続補正２６】
【補正対象書類名】明細書
【補正対象項目名】００６４
【補正方法】変更
【補正の内容】
【００６４】
（４）前記第１実施形態では、連結部材１９，１９が左右方向で重ねられていたが、それら連結部材１９，１９が上下方向で重ね合わされる構成としてもよい。しかしながら、前記実施形態のように連結部材１９，１９が左右方向で重ねられる構成とすれば、１対の複合トラス１３，１３を同一形状にすることができると共に、連結部材１９，１９同士の固定作業が容易になる。
【手続補正２７】
【補正対象書類名】明細書
【補正対象項目名】００６５
【補正方法】変更
【補正の内容】
【００６５】
（５）前記各実施形態では、複合トラス１３，１３同士が連結されていたが、複合トラス同士を連結せずに建造物の天井面に固定し、その建造物を介して複合トラスが連結される構成としてもよい。
【手続補正２８】
【補正対象書類名】明細書
【補正対象項目名】００６８
【補正方法】変更
【補正の内容】
【００６８】
１０，１０Ａ〜１０Ｄ    補強構造体
１１    第１トラス
１２    第２トラス
１３    複合トラス
１４    鉛直辺
１４Ａ    鉛直部材
１５    水平辺
１５Ａ    水平部材
１６    第１の傾斜辺
１７，１８  第２の傾斜辺
１７Ａ，１８Ａ  第２の傾斜部材
１９    連結部材
１９Ｖ    中央ヒンジ部
２０    上部連結部材
２０Ａ    上板部
２０Ｂ    下板部
２０Ｃ    縦板部
２３    下駄部材
２４    楔部材
３０，３１    第１の傾斜部材
５０    屈曲辺
８０    ブース
８０Ｓ    天井面
８５    ライン設備
８６    設備架台
８０Ｆ    床面
８６Ｎ    内側面
８６Ｓ    天井面
８７  柱
８８  梁